【事件の表示】
　特願２０１２−１２０２６９「清掃ロボットおよび当該清掃ロボットに使用する清掃シート」拒絶査定不服審判事件〔平成２５年１２月　９日出願公開、特開２０１３−２４４２２５〕について、次のとおり審決する。
【結　論】
　本件審判の請求は、成り立たない。
【理　由】
第１　手続の経緯
　本願は、平成２４年５月２５日の出願であって、平成２７年５月２８日付けで拒絶理由が通知され、平成２７年６月１７日に意見書及び手続補正書が提出され、平成２７年９月２５日付けで拒絶査定がされた。これに対し、平成２７年１２月２４日に拒絶査定不服審判が請求されると同時に手続補正書が提出されたものである。
　
　
第２　平成２７年１２月２４日付けの手続補正の補正却下の決定
［補正の却下の決定の結論］
　平成２７年１２月２４日付けの手続補正（以下「本件補正」という。）を却下する。
　
［理由］
１　本件補正について
　本件補正により、特許請求の範囲の請求項１は、平成２７年６月１７日付けの手続補正書の特許請求の範囲の請求項１の
「自走式の清掃ロボットであって、
　本体部と、
　前記本体部に設けられて、少なくとも所定の第１方向に走行可能に構成された走行部と、
　前記走行部の駆動制御を行う駆動制御部と、
　前記本体部に取り外し自在に設けられた清掃部と、
　前記清掃部に取り外し自在に取り付けられて清掃対象の拭き取り清掃作業を行う乾式の清掃シートを有しており、
　前記清掃部は、前記清掃シートを係止するための係止部と、前記清掃シートを面状に展開させる展開部を有しており、
　前記本体部は、さらに、モータを有し、
　前記走行部はモータにて回転駆動される車輪を有し、
　前記第１方向は、前記車輪の転動方向によって規定され、
　前記車輪は、第１および第２の走行輪で構成され、前記駆動制御部が前記第１および第２の走行輪の回転をそれぞれ制御することにより、前記清掃面の延在方向における、前記第１方向および前記第１方向と交差する全方向に走行可能に構成されており、
　前記清掃シートは、前記係止部を介して前記清掃部に取り付けられた状態において、前記展開部において前記清掃対象に面状に接触可能な清掃面を形成するように構成され、さらに、不織布による基材シートと、前記基材シートに設けられるとともに、トウによる長繊維の集合体により構成された起毛状の繊維とを有し、
　前記清掃面は、前記起毛状の繊維で構成されて塵埃を保持可能な起毛部と、前記起毛部に隣接して設けられるとともに、前記清掃対象の塵埃を捕捉して前記起毛部へと誘導し、前記起毛部に保持させる誘導路を有し、
　前記誘導路は、前記基材シートに対して凹状に形成されるとともに、前記清掃面延在方向における全方向のいずれに対しても交差状に延在する領域を有し、前記清掃面延在方向における全方向のいずれに走行する場合においても、前記清掃対象における塵埃が前記誘導路にて捕捉可能に構成されていることを特徴とする清掃ロボット。」を
「自走式の清掃ロボットであって、
　本体部と、
　前記本体部に設けられて、少なくとも所定の第１方向に走行可能に構成された走行部と、
　前記走行部の駆動制御を行う駆動制御部と、
　前記本体部に取り外し自在に設けられた清掃部と、
　前記清掃部に取り外し自在に取り付けられて清掃対象の拭き取り清掃作業を行う乾式の清掃シートを有しており、
　前記清掃部は、前記清掃シートを係止するための
一対の
前記一対の係止部とは反対側に構成されるとともに
　前記本体部は、さらに、モータを有し、
　前記走行部はモータにて回転駆動される車輪を有し、
　前記第１方向は、前記車輪の転動方向によって規定され、
　前記車輪は、第１および第２の走行輪で構成され、前記駆動制御部が前記第１および第２の走行輪の回転をそれぞれ制御することにより、前記清掃面の延在方向における、前記第１方向および前記第１方向と交差する全方向に走行可能に構成されており、
　前記清掃シートは、
一対の端部領域を有し、前記一対の端部領域をそれぞれ折り返して
一対の
に取り付けられるとともに、
　前記清掃面は、前記起毛状の繊維で構成されて塵埃を保持可能な起毛部と、前記起毛部に隣接して設けられるとともに、前記清掃対象の塵埃を捕捉して前記起毛部へと誘導し、前記起毛部に保持させる誘導路を有し、
　前記誘導路は、前記基材シートに対して凹状に形成されるとともに、前記清掃面延在方向における全方向のいずれに対しても交差状に延在する領域を有し、前記清掃面延在方向における全方向のいずれに走行する場合においても、前記清掃対象における塵埃が前記誘導路にて捕捉可能に構成されていることを特徴とする清掃ロボット。」と補正した。（下線は、補正された箇所を示す。）
　
　そして、この補正は、特許請求の範囲に記載した発明を特定するために必要な事項である清掃部について、「一対の係止部」を有し、「展開部」が「前記一対の係止部とは反対側に構成される」こと、及び清掃シートについて、「一対の端部領域を有し、前記一対の端部領域をそれぞれ折り返して前記一対の係止部を介して前記清掃部に取り付けられる」ことの限定を付加するものであり、この補正により、発明の産業上の利用分野及び解決しようとする課題を変更するものでもないことは明らかである。
　
　よって、本件補正における請求項１に係る発明の補正は、特許法第１７条の２第５項第２号に掲げる事項（特許請求の範囲のいわゆる限定的減縮）を目的とするものである。
  　
２　独立特許要件についての検討
（１）そこで、本件補正後の特許請求の範囲の請求項１に係る発明（以下「本願補正発明」という。）が特許出願の際独立して特許を受けることができるものか（特許法第１７条の２第６項において準用する同法第１２６条第７項の規定に違反しないか）について検討する。
  　
（２）引用例
ア　引用例１
　原査定の拒絶の理由に引用され、本願の出願前に頒布された刊行物である特開平１１−１７８７６５号公報（以下「引用例１」という。）には、次の事項が記載されている。（なお、下線は当審で付した。）
（ア）「【請求項１】  
センサで検知された障害物を回避しつつ床面を自律走行する掃除ロボット
車体の下面に設けたごみ収集シートと、
前記ごみ収集シートを床面に対して弾力的に押圧する押圧手段とを具備したことを特徴とする掃除ロボット。
【請求項２】  センサで検知された障害物を回避しつつ床面を自律走行する掃除ロボットにおいて、
ごみ収集シートと、
前記ごみ収集シートを車体下面に装着するプレート部材と、
前記プレート部材を揺動自在に保持する軸受手段と、
前記プレート部材を床面に対して弾力的に押圧するばね手段とを具備するとともに、
前記プレート部材の、直進方向前後端に上反り面を形成したことを特徴とする掃除ロボット。
【請求項３】  前記ごみ収集シートを前記プレート部材に装着するため、前記上反り面にそれぞれ設けられたクリップを具備したことを特徴とする請求項２記載の掃除ロボット。」
（イ）「【０００５】
【課題を解決するための手段】上記の課題を解決し、目的を達成するための本発明は、センサで検知された障害物を回避しつつ床面を自律走行する掃除ロボットにおいて、車体の下面に設けたごみ収集シートと、前記ごみ収集シートを床面に対して弾力的に押圧する押圧手段とを具備した点に特徴がある。
【０００６】上記特徴によれば、
押圧手段によりごみ収集シートが床面に弾力的に押圧され、
【０００７】
【発明の実施の形態】以下に、図面を参照して本発明を詳細に説明する。図３は本発明の一実施形態に係る掃除ロボットの外観を示す斜視図、図４は同平面図である。掃除ロボット１は、底面にごみ収集シートとして、例えば、ごみ吸着シートつまりペーパモップ（後述）を装着可能にした掃除ロボットである。・・・」
（ウ）「【００１０】続いて、掃除ロボット１の内部構造を説明する。図１は、掃除ロボット１の内部構造を示す断面図であり、図２は筐体の断面図である。両図において、
筐体８は下フレーム９および該下フレーム９に上から重ねられた上フレーム１０、該上フレーム１０の下面に接合された中フレーム１１、および上フレーム１０から外側に張出した車輪フレーム１２，１３からなる。
下フレーム９にはモータ１４，１５が固定され、各モータ１４，１５の軸１６，１７は車輪フレーム１２，１３側に突出している。車輪フレーム１２，１３および下フレーム９の間のスペースには車輪１８，１９が軸２０，２１で支持されて収容されている。
【００１１】モータ１４，１５の軸１６，１７に固定されたプーリ２２，２３および車輪１８，１９間にはベルト２４，２５が張架されていて、モータ１４，１５の回転によってベルト伝動で車輪１８，１９が駆動され、掃除ロボット１が走行する。このように
車輪１８，１９はモータ１４，１５によってそれぞれ独立して駆動できるので、左右の車輪１８，１９の速度をそれぞれ可変することにより掃除ロボット１は直進、旋回、急旋回等の動作を行うことができる。
（エ）「【００１６】下フレーム９にはハウジング３７でボール３８を受けてなるキャスタが設けられている。さらに、
下フレーム９の下面には軸受３９，４０が設けられていて、一対の軸４１を支持している。軸４１はコイルばね４２，４３のコイル部を貫通して該コイルばね４２，４３を保持しており、かつコイルばね４２，４３の端部はモップ用プレート４４に固定されている。
【００１７】
このプレート４４の下面には、後述する止め具（クリップ）でペーパモップ４５が着脱自在に装着される。
（オ）「【００１９】上述のように構成された掃除ロボット１は、
赤外線スイッチ２Ｆ，２Ｂや接触式スイッチ７Ｆ，７Ｂ，７Ｒ，７Ｌで障害物等を検知すると、これらの検知信号に従い、予定のプログラムに従って走行し、
（カ）「【００２２】プレート４４の、前記反り返った部分にはペーパモップ４５を装着するためのクリップ４７が設けられている。
クリップ４７は、プレート４４の前後に、ボルト４８を軸として揺動自在にそれぞれ設けられていて、コイルばね４９によって矢印Ａ方向に付勢されている。ペーパモップ４５の端部はプレート４４の端部を包むように折り込まれ、クリップ４７とプレート４４の上面とで挟まれて固定される。
（キ）「
」
（ク）「
」
　
イ　引用例１に記載された発明
　上記アの（ア）〜（ク）の記載を総合すると、引用例１には次の発明（以下「引用発明」という。）が記載されているといえる。
「　センサで検知された障害物を回避しつつ床面を自律走行する掃除ロボットであって、
　下フレーム９および該下フレーム９に上から重ねられた上フレーム１０、該上フレーム１０の下面に接合された中フレーム１１、および上フレーム１０から外側に張出した車輪フレーム１２，１３からなる筐体８と、
　下フレーム９にはモータ１４，１５が固定され、各モータ１４，１５の軸１６，１７は車輪フレーム１２，１３側に突出し、車輪フレーム１２，１３および下フレーム９の間のスペースには車輪１８，１９が軸２０，２１で支持されて収容され、
　車輪１８，１９はモータ１４，１５によってそれぞれ独立して駆動し、左右の車輪１８，１９の速度をそれぞれ可変することにより掃除ロボット１を直進、旋回、急旋回等の動作を行うことで、赤外線スイッチ２Ｆ，２Ｂや接触式スイッチ７Ｆ，７Ｂ，７Ｒ，７Ｌで障害物等を検知すると、これらの検知信号に従い、予定のプログラムに従って走行し、
　下フレーム９の下面には軸受３９，４０が設けられていて、一対の軸４１を支持し、軸４１はコイルばね４２，４３のコイル部を貫通して該コイルばね４２，４３を保持しており、かつコイルばね４２，４３の端部はモップ用プレート４４に固定され、プレート４４の下面には、ペーパモップ４５が着脱自在に装着されており、ペーパモップ４５が床面に弾力的に押圧され、
　クリップ４７は、プレート４４の前後にそれぞれ設け、ペーパモップ４５の端部はプレート４４の端部を包むように折り込まれ、クリップ４７とプレート４４の上面とで挟まれて固定された掃除ロボット。」
ウ　引用例２
　原査定の拒絶の理由に引用され、本願の出願前に頒布された刊行物である国際公開第２００９／０９５７３６号（以下「引用例２」という。）には、次の事項が記載されている。（なお、日本語訳は当審による。）
（ア）「The present invention relates to a perfected cloth for cleaning surfaces, in particular for cleaning floor surfaces. 
Various cleaning cloth typologies for cleaning surfaces are used manually, directly on the surface to be cleaned or, more frequently, they are carried by support mounts manipulated directly by the user.」（１頁３〜７行）（本発明は、表面を洗浄するため、特に床面をクリーニングするために完成された布帛に関する。
表面を洗浄するための様々な清掃用布帛類型学は、洗浄される表面上に手動で直接使用される、或いは、より多くの場合、ユーザによって直接操作される支持マウントによって運ばれる。）
（イ）「According to the known technique, the cloth 1 is produced by providing the flexible laminar surface 2, using a sewing machine, with a plurality of stitchings 5 that are spaced from one another and visible in Figure 2.
Said stitchings 5 are performed as continuous rows of seams sewn alongside one another.
Again in Figure 2 it can be observed that each one of the stitchings 5 presents a first section 5a protruding from the opposite side of surface 2 and thus constituting an eyelet 6, and a second section 5b adherent to the laminar surface itself.
Subsequently, as can be observed in Figure 3, the tip of section 5b protruding from surface 2 is sheared to form a plurality of thread-like elements 7 that all approximately have the same height.
According to the present invention, the stitchings 5 are interrupted at regularly spaced intervals, in order to obtain a plurality of strips 4 without microfibre.
The operation of interrupting the stitchings 5 is repeated many times until the entire active surface area of the cloth 1 is covered.
Once said interruption operations are complete, the result is a cloth constituted by a laminar surface 2 featuring a covering 3 constituted by the foregoing thread-like elements 7 and by a plurality of strips 4 without microfibre.」（２頁２９行〜３頁１２行）（公知技術によれば、布帛1は、図2において示され、互いに離間して配置された複数のステッチ5を、ミシンを使用して、可撓性層表面2に設けたものである。
前記ステッチ5は、互いに並んだ縫い目の連続した列として実行される。
再び図2において、ステッチ5のそれぞれは、表面2の反対側から突出する第1の部分5aを提示し、これにより小穴6を構成することが観察される。そして、第2のセクション5bは、層表面自体に付着する。
続いて、図3において見られるように、表面2から突出したセクション5bの先端が剪断され、全て略同一高さを有する複数の糸状素子7を形成する。
本発明によれば、ステッチ5が規則的な離間間隔で中断され、ミクロ繊維のない複数のストリップ4を得ることができる。
布帛1の全体のアクティブな表面領域が覆われるまで、ステッチ5を中断する動作を何回も繰り返す。
一度、前記中断操作が完了すると、結果は、上記糸状素子7とミクロ繊維のないストリップ4とで構成されたカバー3を特徴とする層表面2によって、構成された布帛となる。）
（ウ）「Figure 5, the strips without microfibre, now indicated by 50, are constituted by sinusoidal lines.」（３頁２２、２３行）（図5，50により示されているミクロ繊維のないストリップは、正弦波状の線により構成されている。）
（エ）「
」
（オ）「
」
（カ）「
」
（キ）「
」
（３）本願補正発明と引用発明の対比
ア　対比
　本願補正発明と引用発明とを対比する。
（ア）引用発明の「センサで検知された障害物を回避しつつ床面を自律走行する掃除ロボット」は、その作用及び構造から、本願補正発明の「自走式の清掃ロボット」に相当する。以下同様に、「下フレーム９および該下フレーム９に上から重ねられた上フレーム１０、該上フレーム１０の下面に接合された中フレーム１１、および上フレーム１０から外側に張出した車輪フレーム１２，１３からなる筐体８」は「本体部」に、「モップ用プレート４４」は「清掃部」に、「ペーパモップ４５」は「乾式の清掃シート」に、「プレート４４の前後にそれぞれ設け」られた「クリップ４７」は「一対の係止部」に、「車輪１８，１９」は「第１および第２の走行輪」にそれぞれ相当する。
　
（イ）引用発明の「下フレーム９にはモータ１４，１５が固定され、各モータ１４，１５の軸１６，１７は車輪フレーム１２，１３側に突出し、車輪フレーム１２，１３および下フレーム９の間のスペースには車輪１８，１９が軸２０，２１で支持され」、「車輪１８，１９はモータ１４，１５によってそれぞれ独立して駆動し、」「掃除ロボット１を直進」することは、下フレーム９及び車輪フレーム１２，１３が筐体８を構成する部材であって、車輪１８，１９が直進することは所定の方向に走行することであるから、本願補正発明の「前記本体部に設けられて、少なくとも所定の第１方向に走行可能に構成された走行部」を有していることに相当する。
（ウ）引用発明の「車輪１８，１９はモータ１４，１５によってそれぞれ独立して駆動し、左右の車輪１８，１９の速度をそれぞれ可変することにより掃除ロボット１を直進、旋回、急旋回等の動作を行うこと」は、車輪１８，１９の速度をそれぞれ変更するために、モータ１４，１５を制御する制御部を有することは明らかであるから、本願補正発明の「前記走行部の駆動制御を行う駆動制御部」を有することに相当する。
（エ）引用発明の「下フレーム９の下面には軸受３９，４０が設けられていて、一対の軸４１を支持し、軸４１はコイルばね４２，４３のコイル部を貫通して該コイルばね４２，４３を保持しており、かつコイルばね４２，４３の端部はモップ用プレート４４に固定され」ていることは、下フレーム９にモップ用プレート４４を支持していることであるから、引用発明の当該事項と、本願補正発明の「前記本体部に取り外し自在に設けられた清掃部」を有することとは、本体部に設けられた清掃部を有することの限りで共通する。
（オ）引用発明の「プレート４４の下面には、ペーパモップ４５が着脱自在に装着されて」いることは、本願補正発明の「前記清掃部に取り外し自在に取り付けられて清掃対象の拭き取り清掃作業を行う乾式の清掃シートを有」するに相当する。
（カ）引用発明において、「クリップ４７は、プレート４４の前後にそれぞれ設け、ペーパモップ４５の端部はプレート４４の端部を包むように折り込まれ、クリップ４７とプレート４４の上面とで挟まれて固定され」ることにより、プレート４４のクリップ４７とは反対側の面が、ペーパモップ４５を面状に展開していることは明らかであるから、引用発明は、本願補正発明の「前記清掃部は、前記清掃シートを係止するための一対の係止部と、前記一対の係止部とは反対側に構成されるとともに前記清掃シートを面状に展開させる展開部を有して」いるといえる。
（キ）引用発明の「下フレーム９にはモータ１４，１５が固定され」ていることは、本願補正発明の「前記本体部は、さらに、モータを有」することに相当する。
（ク）引用発明の「モータ１４，１５によってそれぞれ独立して駆動」される「車輪１８，１９」は、本願補正発明の「モータにて回転駆動される車輪」に相当する。
（ケ）引用発明の「車輪１８，１９はモータ１４，１５によってそれぞれ独立して駆動し、左右の車輪１８，１９の速度をそれぞれ可変することにより掃除ロボット１を直進、旋回、急旋回等の動作を行うことで、赤外線スイッチ２Ｆ，２Ｂや接触式スイッチ７Ｆ，７Ｂ，７Ｒ，７Ｌで障害物等を検知すると、これらの検知信号に従い、予定のプログラムに従って走行」することは、掃除ロボット１が直進することを第１の方向に動作すると表現すると、旋回や急旋回を行った後に第１の方向と異なる方向に動作することは第１方向と交差する方向に走行することであり、その方向は、モータ１４，１５によってそれぞれ独立して駆動し、左右の車輪１８，１９の速度をそれぞれ可変することで行われるから、全方向に走行可能であることは明らかである。したがって、引用発明の当該事項は、本願補正発明の「前記第１方向は、前記車輪の転動方向によって規定され、前記車輪は、第１および第２の走行輪で構成され、前記駆動制御部が前記第１および第２の走行輪の回転をそれぞれ制御することにより、前記清掃面の延在方向における、前記第１方向および前記第１方向と交差する全方向に走行可能に構成されて」いることに相当する。
（コ）引用発明の「ペーパモップ４５が床面に弾力的に押圧され、クリップ４７は、プレート４４の前後にそれぞれ設け、ペーパモップ４５の端部はプレート４４の端部を包むように折り込まれ、クリップ４７とプレート４４の上面とで挟まれて固定され」ることは、プレート４４の端部を包むように折り返して、一対のクリップ４７とプレート４４の上面とで挟まれて固定されるペーパモップ４５の一対の端部は端部領域といえ、図１、図５を参酌すると、ペーパモップ４５は、プレート４４の展開部において、床面に面状に接触して清掃する清掃面を形成しているから、本願補正発明の「前記清掃シートは、一対の端部領域を有し、前記一対の端部領域をそれぞれ折り返して前記一対の係止部を介して前記清掃部に取り付けられるとともに、前記展開部において前記清掃対象に面状に接触可能な清掃面を形成する」ことに相当する。
イ　一致点
　したがって、両者は、
「自走式の清掃ロボットであって、
　本体部と、
　前記本体部に設けられて、少なくとも所定の第１方向に走行可能に構成された走行部と、
　前記走行部の駆動制御を行う駆動制御部と、
　前記本体部に設けられた清掃部と、
　前記清掃部に取り外し自在に取り付けられて清掃対象の拭き取り清掃作業を行う乾式の清掃シートを有しており、
　前記清掃部は、前記清掃シートを係止するための一対の係止部と、前記一対の係止部とは反対側に構成されるとともに前記清掃シートを面状に展開させる展開部を有しており、
　前記本体部は、さらに、モータを有し、
　前記走行部はモータにて回転駆動される車輪を有し、
　前記第１方向は、前記車輪の転動方向によって規定され、
　前記車輪は、第１および第２の走行輪で構成され、前記駆動制御部が前記第１および第２の走行輪の回転をそれぞれ制御することにより、前記清掃面の延在方向における、前記第１方向および前記第１方向と交差する全方向に走行可能に構成されており、
　前記清掃シートは、一対の端部領域を有し、前記一対の端部領域をそれぞれ折り返して前記一対の係止部を介して前記清掃部に取り付けられるとともに、前記展開部において前記清掃対象に面状に接触可能な清掃面を形成するように構成されている清掃ロボット。」
の点で一致し、以下の点で相違している。
　
ウ　相違点
＜相違点１＞
　本体部に設けられた清掃部について、本願補正発明は、取り外し自在であるのに対し、引用発明は、そのような特定はない点。
＜相違点２＞
　乾式の清掃シートについて、本願補正発明は、不織布による基材シートと、前記基材シートに設けられるとともに、トウによる長繊維の集合体により構成された起毛状の繊維とを有し、前記清掃面は、前記起毛状の繊維で構成されて塵埃を保持可能な起毛部と、前記起毛部に隣接して設けられるとともに、前記清掃対象の塵埃を捕捉して前記起毛部へと誘導し、前記起毛部に保持させる誘導路を有し、前記誘導路は、前記基材シートに対して凹状に形成されるとともに、前記清掃面延在方向における全方向のいずれに対しても交差状に延在する領域を有し、前記清掃面延在方向における全方向のいずれに走行する場合においても、前記清掃対象における塵埃が前記誘導路にて捕捉可能に構成されているのに対して、引用発明では、ペーパモップ４５の具体的な構成が不明である点。
（４）当審の判断
ア　相違点の検討
　上記相違点について以下検討する。
＜相違点１について＞
　清掃用具において、清掃シート等の交換を容易にするために、清掃部を取り外し自在に設けることは周知（例えば、拒絶査定時に挙げた特開２００５−４０５７８号公報（【請求項１】等）の「回転濡れ雑巾掃除ユニット」の着脱、拒絶査定時に挙げた特表２００９−５０９２２０号公報（【要約】等）の「機能カートリッジ」の選択的取り外し可能な点、特開２００４−１４１３６９号公報（【００１５】、【００２２】等）の「シート取付体１４」を取付け、取り外しできる点参照。）である。
　そうすると、引用発明の清掃部において、ペーパモップ４５の交換を容易にする等のために、上記周知である取り外し自在な構造を採用することは、当業者が容易に想到し得たことである。
＜相違点２について＞
　引用例２には、複数の糸状素子7からなるステッチ5と正弦波状の線で構成されたミクロ繊維のないストリップ4とからなる布帛１が、記載されている。
　そして、引用例２の「複数の糸状素子7からなるステッチ5」は、その構造から、本願補正発明の「起毛状の繊維」で構成される「起毛部」に相当し、同様に「ミクロ繊維のないストリップ4」は、ステッチ5に隣接して設けられており、ミクロ繊維のない空間であることから清掃時に塵埃を捕捉してステッチ5へと誘導し、ステッチ5に保持させる機能を有することは明らかであるから、「誘導路」に相当し、「布帛１」は「清掃シート」に相当する。また、引用例２の「正弦波状の線で構成されたミクロ繊維のないストリップ4」は、布帛をどの方向に動かしても、必ず交差する領域を有しており、清掃対象の塵埃がストリップ４に捕捉されることは明らかである。
　さらに、清掃シートにおいて、起毛部と起毛状の繊維のない誘導路とから構成し、誘導路をどの方向に動かしても、必ず交差する領域を有しており、清掃対象の塵埃がストリップ４に捕捉される構造とすること、基材シートを不織布とすること、及び起毛部をトウによる長繊維の集合体により構成することは、周知（例えば、拒絶査定時に挙げた特開２０００−２５４０５８号公報（【請求項１】、【０００７】、【００１４】、【００１６】、図３等）、特開２０００−２４５６７０号公報（【０００７】、【００１４】、【００１５】、図３〜５、８、９等）、特開２０００−２４５６７１号公報（【０００９】、【００１２】、【００１７】、図２、３等）、特開２０００−２４５６７２号公報（【０００８】、【０００９】、【００１６】〜【００１９】、図２、７等）である。
　引用例１には、「ペーパモップ４５は、一例として、不織布状の繊維集合体の表面に多数の凹凸を形成したシートを使用できる。ごみやほこり（ダスト）は、この凹凸部に吸着される。このようなペーパモップは、例えば、特開平６−１７３６１号公報に記載されている。」（【００１７】）と記載されており、周知である種々のものを用いることが示唆されている。
　そうすると、引用発明において、引用例２及び上記周知の清掃シートを参酌し、本願補正発明の上記相違点２に係る事項とすることは当業者が容易に想到し得たことである。
　
　
イ　本願補正発明の奏する作用効果
　本願補正発明により奏されるとされる効果は、引用発明、及び周知の事項からみて格別なものとはいえない。
　
ウ　まとめ
　したがって、本願補正発明は、引用発明、及び周知の事項に基いて当業者が容易に発明をすることができたものである。
　
（５）小括
　したがって、本願補正発明は、特許法第２９条第２項の規定により、特許出願の際独立して特許を受けることができない。
　
３　むすび
　以上のとおりであり、本件補正発明は、特許法第１７条の２第６項で準用する同法第１２６条第７項の規定により違反するものであり、同法第１５９条第１項で読み替えて準用する同法第５３条第１項の規定により却下されるべきものである。
　
　
第３　本願発明について
１　本願発明
　平成２７年１２月２４日付けの手続補正は上記のとおり却下されたので、本願の請求項１に係る発明（以下「本願発明」という。）は、平成２７年６月１７日の手続補正により補正された特許請求の範囲の請求項１に記載された事項により特定されるとおりのものである。（上記「第２　平成２７年１２月２４日付けの手続補正の補正却下の決定」の「１　本件補正について」の記載参照。）
２　引用例
　原査定の拒絶の理由に引用された引用例１及び２の記載事項及び引用発明については、上記「第２　平成２７年１２月２４日付けの手続補正の補正却下の決定」の「２　独立特許要件違反についての検討」の「（２）引用例」に記載したとおりである。
３　対比・判断 
　本願発明は、本願補正発明から、清掃部について、「一対の係止部」を有し、「展開部」が「前記一対の係止部とは反対側に構成される」こと、及び清掃シートについて、「一対の端部領域を有し、前記一対の端部領域をそれぞれ折り返して前記一対の係止部を介して前記清掃部に取り付けられる」との限定を省いたものである。
　そうすると、本願発明を特定するための事項をすべて含み、更に他の事項を付加したものに相当する本願補正発明が、前記「第２　平成２７年１２月２４日付けの手続補正の補正却下の決定」の「２　独立特許要件違反についての検討」の「（３）本願補正発明と引用発明の対比」及び「（４）当審の判断」に記載したとおりの引用発明、及び周知の事項に基いて、当業者が容易に発明をすることができたものであるから、本願発明も同様の理由により、引用発明、及び周知の事項に基いて、当業者が容易に発明をすることができたものである。 
 　 
　
 第４　まとめ 
　以上のとおりであるから、本願発明は、特許法第２９条第２項の規定より特許を受けることができない。ゆえに、他の請求項に係る発明について検討するまでもなく、本願は拒絶すべきものである。 
 　 
 　よって、結論のとおり審決する。